(57)【要約】【課題】本発明は、プリント基板の階層を増加せずに、ＰＣＩｅ×１６スロット及びＰＣＩｅ×８スロットに適合できるメインボードを提供することを目的とする。【解決手段】本発明のメインボードは、ＰＣＩｅ×１６スロットにＰＣＩｅ×８の外部カードが挿入された場合、制御器はＰＣＩｅ×１６スロットとの間の８組の通路データを介してＰＣＩｅ×８の外部カードと通信し、ＰＣＩｅ切換器はＰＣＩｅ×８の外部カードと通信し、ＰＣＩｅ×１６スロットにＰＣＩｅ×１６の外部カードが挿入された場合、ＰＣＩｅ×１６スロットのフィードバック信号出力ピンは、１つのフィードバック信号を出力し、且つＰＣＩｅ切換器に送信し、ＰＣＩｅ切換器はＰＣＩｅ×１６スロットとの間の８組の通路データを通信し、制御器はＰＣＩｅ×１６の外部カードとデータを通信する。【選択図】図１
2014229320.tif 000002
【特許請求の範囲】
【請求項１】
メインボードにおいて、
前記メインボードには、ＰＣＩｅ×１６スロット、ＰＣＩｅ×８スロット、制御器及びＰＣＩｅ切換器が設置されており、
前記制御器は、前記ＰＣＩｅ切換器を介して前記ＰＣＩｅ×８スロットと接続され、前記制御器と前記ＰＣＩｅ×８スロットとの間は、８組の通路データを介してデータが通信され、前記制御器は、８組の通路データを介して、前記ＰＣＩｅ×１６スロットと接続され、
前記ＰＣＩｅ切換器は、８組の通路データを介して、前記ＰＣＩｅ×１６スロットと接続され、且つ前記ＰＣＩｅ×１６スロットのフィードバック信号出力ピンと接続され、
前記ＰＣＩｅ×１６スロットにＰＣＩｅ×８の外部カードが挿入された場合、前記制御器は、前記ＰＣＩｅ×１６スロットとの間の８組の通路データを介して、前記ＰＣＩｅ×１６スロットに挿入された前記ＰＣＩｅ×８の外部カードと通信し、前記ＰＣＩｅ切換器は、前記制御器と前記ＰＣＩｅ×８スロットとの間の８組の通路データを通信し、前記制御器は、前記ＰＣＩｅ切換器を介して、前記ＰＣＩｅ×８スロットに挿入されたＰＣＩｅ×８の外部カードと通信し、
前記ＰＣＩｅ×１６スロットにＰＣＩｅ×１６の外部カードが挿入された場合、前記ＰＣＩｅ×１６スロットのフィードバック信号出力ピンは、１つのフィードバック信号を出力し、且つ前記フィードバック信号を前記ＰＣＩｅ切換器に送信し、前記ＰＣＩｅ切換器は、前記ＰＣＩｅ×１６スロットとの間の８組の通路データを通信し、前記制御器は、前記ＰＣＩｅ×１６スロットとの間の８組の通路データ及び前前記ＰＣＩｅ切換器と前記ＰＣＩｅ×１６スロットとの間の８組の通路データによって、前記ＰＣＩｅ×１６スロットに挿入された前記ＰＣＩｅ×１６の外部カードとデータを通信することを特徴とするメインボード。
【発明の詳細な説明】
【技術分野】
【０００１】
本発明は、メインボードに関し、特にＰＣＩｅスロットが設置されているメインボードに関するものである。
【背景技術】
【０００２】
従来のコンピュータのメインボードには、複数のＰＣＩｅスロットが設置されている。しかし近年、ＰＣＩｅの伝送通路は益々増加しているため、配線の要求も高くなっている。例えば、ＰＣＩｅ×１６スロットを増加させたい場合、プリント基板の階層を増加させることによって増加でき、配線を行なった後、ＰＣＩｅ×１６と接続された外部カードとメインボードは通信できる。しかし、このような場合コストが高い。また、ＰＣＩｅ×１６スロットをＰＣＩｅ×８信号に分配した場合、データ信号が減少する。これにより、ＰＣＩｅ×１６と接続された外部カードとは通信できなくなるため、柔軟性に欠ける。
【発明の概要】
【発明が解決しようとする課題】
【０００３】
以上の問題点に鑑みて、本発明は、プリント基板の階層を増加せずに、ＰＣＩｅ×１６スロット及びＰＣＩｅ×８スロットに適合できるメインボードを提供することを目的とする。
【課題を解決するための手段】
【０００４】
上記の課題を解決するために、本発明のメインボードには、ＰＣＩｅ×１６スロット、ＰＣＩｅ×８スロット、制御器及びＰＣＩｅ切換器が設置されている。前記制御器は、前記ＰＣＩｅ切換器を介して、前記ＰＣＩｅ×８スロットと接続され、前記制御器と前記ＰＣＩｅ×８スロットとの間は、８組の通路データを介してデータが通信され、前記制御器は、８組の通路データを介して前記ＰＣＩｅ×１６スロットと接続され、前記ＰＣＩｅ切換器は、８組の通路データを介して前記ＰＣＩｅ×１６スロットと接続され、且つ前記ＰＣＩｅ×１６スロットのフィードバック信号出力ピンと接続され、前記ＰＣＩｅ×１６スロットにＰＣＩｅ×８の外部カードが挿入された場合、前記制御器は、前記ＰＣＩｅ×１６スロットとの間の８組の通路データを介して前記ＰＣＩｅ×１６スロットに挿入された前記ＰＣＩｅ×８の外部カードと通信し、前記ＰＣＩｅ切換器は、前記制御器と前記ＰＣＩｅ×８スロットとの間の８組の通路データを通信し、前記制御器は、前記ＰＣＩｅ切換器を介して前記ＰＣＩｅ×８スロットに挿入されたＰＣＩｅ×８の外部カードと通信し、前記ＰＣＩｅ×１６スロットにＰＣＩｅ×１６の外部カードが挿入された場合、前記ＰＣＩｅ×１６スロットのフィードバック信号出力ピンは、１つのフィードバック信号を出力し、且つ前記フィードバック信号を前記ＰＣＩｅ切換器に送信し、前記ＰＣＩｅ切換器は、前記ＰＣＩｅ×１６スロットとの間の８組の通路データを通信し、前記制御器は、前記ＰＣＩｅ×１６スロットとの間の８組の通路データ及び前記ＰＣＩｅ切換器と前記ＰＣＩｅ×１６スロットとの間の８組の通路データによって、前記ＰＣＩｅ×１６スロットに挿入された前記ＰＣＩｅ×１６の外部カードとデータを通信する。
【発明の効果】
【０００５】
本発明のメインボードは、メインボードに設置されたＰＣＩｅ×８スロットと制御器との間の８組の通路データによって、ＰＣＩｅ×１６スロット１に挿入されたＰＣＩｅ×１６の外部カードとの間のデータ通信を実現できる。またこの際、プリント基板の階層を増加しなくてよい。従って、コストを削減することができる。
【図面の簡単な説明】
【０００６】
【図１】本発明に係るメインボードの原理図である。
【発明を実施するための形態】
【０００７】
以下、図面に基づいて、本発明に係るメインボードについて詳細に説明する。図１に示したように、メインボード１００には、ＰＣＩｅ×１６スロット１、ＰＣＩＥ×８スロット２、制御器８及びＰＣＩｅ切換器７が設置されている。
【０００８】
ＰＣＩｅ×１６スロット１及びＰＣＩｅ×８スロット２には、それぞれ対応する数量の外部カード（図示せず）が挿入される。例えば、ＰＣＩｅ×１６スロット１には、ＰＣＩｅ×１６の外部カード或いはＰＣＩｅ×８の外部カードが挿入され、ＰＣＩｅ×８スロット２には、ＰＣＩｅ×８の外部カードが挿入される。制御器８は、ＰＣＩｅ×１６スロット１及びＰＣＩｅ×８スロット２を制御して、ＰＣＩｅ×１６スロット１及びＰＣＩｅ×８スロット２に挿入された対応する外部カードとデータを通信する。
【０００９】
制御器８とＰＣＩｅ×１６スロット１との間では、８組の通路データを介して、データが通信され、制御器８は、ＰＣＩｅ切換器７を介してＰＣＩｅ×８スロット２と接続される。また、制御器８とＰＣＩｅ×８スロット２との間では、８組の通路データを介してデータが通信される。ＰＣＩｅ切換器７とＰＣＩｅ×１６スロット１との間では、８組の通路データを介してデータが通信され、ＰＣＩｅ切換器７は、ＰＣＩｅ×１６スロット１のフィードバック信号出力ピンＡと接続される。
【００１０】
ＰＣＩｅ×１６スロット１にＰＣＩｅ×８の外部カードが挿入された場合、制御器８は、ＰＣＩｅ×１６スロット１との間の８組の通路データを介してＰＣＩｅ×１６スロット１に挿入されたＰＣＩｅ×８の外部カードと通信する。ＰＣＩｅ×８スロット２にＰＣＩｅ×８の外部カードが挿入された場合、ＰＣＩｅ切換器７は、ＰＣＩｅ×１６スロット１のフィードバック信号出力ピンＡからのフィードバック信号を受信せず、制御器８とＰＣＩｅ×８スロット２との間の８組の通路データを通信し、ＰＣＩｅ×８スロット２に挿入されたＰＣＩｅ×８の外部カードは、ＰＣＩｅ切換器７及び制御器８によってデータを通信する。
【００１１】
ＰＣＩｅ×１６スロット１にＰＣＩｅ×１６の外部カードが挿入された場合、ＰＣＩｅ×１６スロット１のフィードバック信号出力ピンＡは、１つのフィードバック信号を出力し、且つ該フィードバック信号をＰＣＩｅ切換器７に送信する。この際、ＰＣＩｅ切換器７は、ＰＣＩｅ×１６スロット１との間の８組の通路データを通信する。即ち、制御器８は、制御器８とＰＣＩｅ×８スロット２との間の８組の通路データによって、ＰＣＩｅ×１６スロット１に挿入されたＰＣＩｅ×１６の外部カードとの間の通信を制御する。
【００１２】
メインボード１００は、メインボード１００に設置されたＰＣＩｅ×８スロット２と制御器８との間の８組の通路データによって、ＰＣＩｅ×１６スロット１に挿入されたＰＣＩｅ×１６の外部カードとの間のデータ通信を実現できる。またこの際、プリント基板の階層を増加しなくてよい、従って、コストを削減することができる。
【符号の説明】
【００１３】
１００  メインボード
１  ＰＣＩｅ×１６スロット
２  ＰＣＩｅ×８スロット
８  制御器
７  ＰＣＩｅ切換器
Ａ  フィードバック信号出力ピン
【図１】
2014229320.tif 000003